(57)【要約】【課題】複雑な撮影機材や技術、また、コンピューターの画像処理を使わずに、意図的な図形や文字を、被写体の眼球に写し出し撮影できる撮影装置を提供する。【解決手段】組み立て可能な大小の反射板１、２、３、４、６を、位置Ａの被写体の眼球全体に反射面が写り込むように３方向を囲む形で設置し、反射面６に開けた撮影用のレンズ窓が非反射状態となり、前記被写体の眼球に黒い影として写り込む効果を利用して、６のレンズ窓を意図的な図形や文字の形に切り抜き加工し、反射板１、２、３、４、６の内壁への撮影用光源８の照射で起こる明暗の対比効果によって、その図形や文字の形を前記被写体の眼球に黒い影で写し出し、１０で撮影できるように構成されている。【選択図】図５
2007102142.tif 000002
【特許請求の範囲】
【請求項１】
組み立て可能な大小の反射板を、被写体の眼球全体に反射面が写り込むように３方向を囲む形で設置し、前記被写体正面の反射面に開けた撮影用のレンズ窓が非反射状態となり、前記被写体の眼球に黒い影として写り込む効果を利用して、そのレンズ窓を意図的な図形や文字の形に切り抜き加工し、反射板内壁への撮影用光源の照射で起こる明暗の対比効果によって、その図形や文字の形を前記被写体の眼球に黒い影で写し出し、撮影することを特徴とした撮影装置。
【発明の詳細な説明】
【技術分野】
【０００１】本発明は、主として人物の撮影において、その眼球に図形や文字を写し出すときに用いる撮影装置に関するものである。
【背景技術】
【０００２】人物の撮影において被写体の眼球に、撮影光源の配置や図形や文字等を演出として意図的に写し出す事でメッセージやイメージを表現する事をキャッチライト効果、または、アイキャッチ効果と言うが、それを作り出すためには特殊なライティング機材や大掛かりなスタジオシステムを必要とし、専門的な知識や技術を介して撮影するのが一般的である。例えば撮影用の光源を何灯も使い図形や文字の形に組んだり、光源自体を意図する形に制作する事でその形を眼球に白く反影させる方法がそれである。しかし、その方法では光源自体を眼球に照射するため、前記の形に制作された白い点の集合体か、光源自体が写り込む効果しか得られない。【０００３】また、他の手段として撮影後に撮影素材をコンピューターのデジタル加工によって、その効果を表現する方法もあるが、こちらも専門的な知識や技術に加えて処理時間や処理コストが掛かっていた。
【発明の開示】
【発明が解決しようとする課題】
【０００４】しかしながら、上記のように光源を図形や文字の形に組んだり、光源自体を意図する形に制作する方法は、それを設置する広いスペースに加えて労力、時間、経費を多く要し、効率の悪いものであった。また、その形を変化させるにも同等の労力や時間を要し、結果として得られるのは、眼球に光の形を白く表現することが現状である。【０００５】また、コンピューターのデジタル加工で行う方法では、図形や文字を容易に眼球に表現できるが、その効果を自然にするためには熟練したデジタル加工技術を要する上に、高額のデジタル機材が必要となる。
【課題を解決するための手段】
【０００６】そこで、本発明は、組み立て可能な大小の反射板を、被写体の眼球全体に反射面が写り込むように３方向を囲む形で設置し、前記被写体正面の反射面に開けた撮影用のレンズ窓が非反射状態となり、前記被写体の眼球に黒い影として写り込む効果を利用して、そのレンズ窓を意図的な図形や文字の形に切り抜き加工し、反射板内壁への撮影用光源の照射で起こる明暗の対比効果によって、その図形や文字の形を前記被写体の眼球に黒い影で写し出し、撮影できるように構成したものである。
【発明の効果】
【０００７】本発明は専門的な技術や知識を持たなくても、反射板で一定の形状に組み立てた撮影装置を使い、被写体の眼球に対して図形や文字の表現効果を持たせた撮影を、大掛かりな機材やスタジオ、またはコンピューターのデジタル加工等も使わずに撮影できる撮影装置である。また、撮影用光源の反射光で起こる反射面とカメラのレンズ窓との明暗の対比効果を利用するため、従来のように、その形を白く写し出すのとは異なり、図形や文字を黒い影として写し出す事を可能としている。即ち、本発明は、被写体の眼球の黒目部分の瞳孔の形を黒い影として意図した形に変化させて撮影することができる。
【発明を実施するための最良の形態】
【０００８】以下、本発明の最良の実施形態を図面に基づき説明する。【０００９】図１で示している、反射板１、２、３、４、６は撮影装置の解体図である。素材は、組み立てや収納を容易に行える目的で軽量で硬質で形成が容易な素材、例えば強化タイプの段ボールやコアボード等の周辺を金属等で補強し、また、固定用器具ａ′、ｂ′、ｃ′、ｅ′と５はアルミ製パイプ等で作り両端が抜け落ちないようにピンで固定するかパイプをネジきり加工してパイプの円周より大きなネジ式のスットパー器具を取り付ける等の方法で反射板の１と２が自立する構造になっている。【００１０】その組み立て方法は、左右に立てた１と２に３と４の反射板を図４のように３の長辺に取り付けた２本の固定器具ａ′とｂ′を１と２のａとｂの溝に取り付ける事で斜め下向きに設置し、５をｄに差し込んで固定しｃを１と２のｃ′の溝に取り付け５のパイプに乗せる事で斜め上向きに設置できる。さらに６のｅ′を１と２のｅに取り付け、アルミ等の軽量金属等からなる７の撮影用光源装置の取り付け器具を１と２の上辺に嵌め込むように取り付ける。図４の８は一般に市販されている撮影用の光源装置の設置例として表していて、撮影の内容や撮影者の選択により様々な光源装置の取り付けを可能としている。【００１１】設置例として示す図５は、例えばスチール写真撮影が行える設置例を表していて、図４の状態に２と８を取り付けた７とで組み立てた撮影装置である。位置Ａの被写体位置にイスを配置し、位置Ａから図４の６の外側に撮影用カメラを設置して撮影できるように構成されていて、位置Ａの被写体の前方に設置した反射板の上部と下部を前記被写体に向け、また、左右から１と２で挟み込んで前記被写体を反射板で囲んでいる。その効果として、被写体の眼球の全体部分に反射板の内壁が反射するのである。【００１２】そこで、６に切り抜いた図形や文字の形の撮影カメラ用のレンズ窓が非反射部分の影となり、そのレンズ窓の図形や文字を眼球に黒く写し出すのである。この光と影の対比効果は、撮影用光源を反射板の内壁に照射し明るい反射光とすることでさらに高められる。そこで本発明は、被写体の後頭部の上部より逆光ぎみに撮影装置の内壁全体に対して撮影用光源を照射し、撮影装置の内壁で起きる乱反射を撮影光とすることで、撮影装置内壁と非反射部分の図形や文字との明暗の対比効果を高めて、前記被写体の眼球に前記図形や文字を強く黒い影として写し出すことを可能とさせている。【００１３】なお、図６の側面の透視図は、上記撮影用光源を用いた時の明暗の対比効果を示していて、１１の被写体を撮影装置の中に配置し、１１の後頭部の上部に取り付けた撮影用光源装置８の照射が撮影装置の内壁で乱反射を起こし、すべての反射光を効率よく１１に集光させる事で、１１側と９側との明暗の対比効果を高めている。前記撮影装置は、主に室内に設置することを前提とし、撮影者側が暗い条件の方が明暗の対比効果を高めることができる。
また、前記条件を満たさない場合でも図７のように、撮影者を遮光布で覆うことで前記明暗の対比効果の低い所でも十分にその効果を高めることができる。【００１４】上記効果としては、図２の６Ａ、６Ｂ、６Ｃの図形や文字例を用いた場合に、図３で示すように眼球の黒目の中心にある瞳孔の形が変ったかのような効果で黒く表れる。つまり、上記の明暗の対比が大きいほど、図形や文字の黒さが強調されるのである。したがって、反射板で被写体を囲み、その眼球部分に反射板の内壁を写しだし、明るい被写体側と暗い撮影者側の明暗の対比を利用することで、特許請求の範囲でいう反射面に切り抜いた図形や文字を眼球に黒い影として写し込むことの手段を構成している。【００１５】このような本発明の撮影装置は、すべての撮影形体での使用ができ、特に被写体の上半身や顔のアップの撮影時に、その効果を発揮する。例えば、広告やドラマなどで、被写体の眼でメッセージやイメージ、その時の感情等を図形や文字を使って表現する場合がそれである。【００１６】このような撮影装置と同じ形状は、眼球に図形や文字を写し込む仕組みを除た状態で、撮影スタジオで既存の機材を使って組み立てが可能である。しかし、反射板すべてを組み立てるには、それらを支えるためのスタンドや固定用のクリップなどを大量に使い完成時にはコンパクトな形状にはならない上、反射板同士が接触する部分に大きな隙間を多数作ってしまい、その隙間を被写体の眼球に写し込むことになるため、その状況で本発明の仕組みを用いても、その効果は十分なものにはならない。【００１７】なお、図８は、撮影装置の完成図で、Ｂは俯瞰、Ａは横から、Ｃは被写体側から、Ｄは撮影者側からを示していて、コンパクトな形状で組み立てができ、前記のような不要な隙間はできない。しかも、このような一定に仕切られた空間の内部での反射光を利用するため、安定した撮影光を少ないエネルギーで効率よく撮影装置内部に照射できる。
【図面の簡単な説明】
【００１８】
【図１】撮影装置の解体図である。
【図２】意図的に図形や文字の切り抜き加工を施した反射板。
【図３】図２の切り抜き図形を使って撮影した場合の眼球に対して黒く写り込む切り抜き効果のイメージである。
【図４】撮影装置の簡単な組み立て説明図である。
【図５】撮影装置の完成図である。
【図６】撮影装置の側面からの透視図である。
【図７】図６のカメラマンを遮光布で覆った図面である。
【図８】撮影装置の完成図を４方向からみた図面である。
【符号の説明】
【００１９】１、２                撮影装置の左右の反射板
３                    被写体の前頭部や額、鼻筋等用反射板
４                    被写体の鼻下、顎下用の反射板
５                    ４の設置用部品
６                    図形や文字を切り抜いた被写体正面の反射板
７                    撮影用光源の装置の取り付け器具
８                    市販の撮影用光源装置
ａｂｃｄｅ            固定器具用の溝や穴
ａ′ｂ′ｃ′ｅ′ｄ′  ３と４と５と６の固定用器具の固定部分
６Ａ〜６Ｃ            被写体の全面の反射板で図形や文字はカメラ用のレンズ窓
６Ａ効果              図２の６Ａを反射板として使った時の効果
６Ｂ効果              図２の６Ｂを反射板として使った時の効果
６Ｃ効果              図２の６Ｃを反射板として使った時の効果
位置Ａ                撮影時の被写体の位置
９                    撮影者
１０                  撮影用カメラ
１１                  被写体
１２                  遮光布
Ａ                    側面図
Ｂ                    俯瞰図
Ｃ                    後ろから見たスタジオの内部図
Ｄ                    カメラマン側から見た図
位置Ｂ                おおよそのカメラ設置場所
位置Ｃ                撮影用バックペーパーないし壁
天井                  設置場所の天井部分
【図１】
2007102142.tif 000003
【図２】
2007102142.tif 000004
【図３】
2007102142.tif 000005
【図４】
2007102142.tif 000006
【図５】
2007102142.tif 000007
【図６】
2007102142.tif 000008
【図７】
2007102142.tif 000009
【図８】
2007102142.tif 000010